(57)【要約】【課題】  複数の伝送装置とユーザ側光ケーブルとをクロス配線するに際して、光コードが錯綜する問題がなく、接続作業の作業性のよい光配線システムを提供する。【解決手段】  光スプリッタモジュール１５は、第1（映像用）の伝送装置１に接続された装置側光ファイバ３をユーザ数に分岐する第１光スプリッタ１１と第２（データ用）の伝送装置２に接続された装置側光ファイバ４をユーザ数に分岐する第２光スプリッタ１２とを有する。両光スプリッタ１１、１２の出力ファイバ１３、１４はクロス配線されており、その出力端は、第１出力ファイバ１３と第２出力ファイバ１４とが交互に並ぶように配列されている。出力端で隣接する第１出力ファイバと第２出力ファイバとの１対を個別ユーザ用光ファイバ心線とする。光スプリッタモジュール１５Ａ内でクロス配線が完結しているので、クロス配線用光コードの錯綜という問題がなく、接続作業の作業性が良好である。【選択図】  図１
2007041285.tif 000002
【特許請求の範囲】
【請求項１】
第１の伝送装置に接続された装置側光ファイバをユーザ数に分岐する第１光スプリッタと第２の伝送装置に接続された装置側光ファイバをユーザ数に分岐する第２光スプリッタとを有しかつ前記第１光スプリッタの出力ファイバと前記第２光スプリッタの出力ファイバとが出力端で交互に並ぶように各光スプリッタの出力ファイバをクロス配線してなる光スプリッタモジュールを備え、
出力端で隣接する第１出力ファイバと第２出力ファイバとの１対を個別ユーザ用として用いることを特徴とする光配線システム。
【請求項２】
前記光スプリッタモジュールは、前記出力端で隣接する第１出力ファイバと第２出力ファイバとの１対と個別ユーザ用光ファイバ心線とを融着接続する融着接続部を備えたことを特徴とする請求項１記載の光配線システム。
【請求項３】
前記光スプリッタモジュールは、前記第１及び第２光スプリッタの各出力ファイバの出力端に取り付けられた光コネクタ、及びコネクタ接続のためのアダプタを備えていることを特徴とする請求項１記載の光配線システム。
【請求項４】
前記光スプリッタモジュールは、第１及び第２の光スプリッタの各出力ファイバとしてコネクタ付きのピグテイルを備えたことを特徴とする請求項１記載の光配線システム。
【請求項５】
複数系統の伝送装置にそれぞれ接続された装置側光ファイバをそれぞれユーザ数に分岐する各系統毎の光スプリッタを有しかつ前記各光スプリッタの出力ファイバが出力端で、各系統の光ファイバを１本ずつ含む出力ファイバの組みが順に並ぶように各光スプリッタの出力ファイバをクロス配線してなる光スプリッタモジュールを備え、
前記出力ファイバの組みを個別ユーザ用として用いることを特徴とする光配線システム。
【発明の詳細な説明】
【技術分野】
【０００１】
この発明は、伝送局舎や大規模施設内ＭＤＦ室等に設置された例えば映像用及びデータ用の各伝送装置とユーザ側光ケーブルとを接続する光成端箱などにおいて、前記各伝送装置とユーザ側光ケーブルとをクロス配線により接続するための光配線システムに関する。
【背景技術】
【０００２】
例えば大規模マンション棟等に光ファイバを導入する際、一般に、ＭＤＦ（主配線盤）室内に映像用伝送装置及びデータ用伝送装置を設置する。そして、同じくＭＤＦ室に設置した光成端箱内において、映像用伝送装置側のＮ本（ユーザ数をＮとする）の光ファイバ及びデータ用伝送装置側のＮ本の光ファイバを配列し直して（クロス配線して）、映像側及びデータ側の光ファイバを各１本ずつ含むＮ本の個別ユーザ用光ファイバ心線とする。このＮ本の個別ユーザ用光ファイバ心線をケーブル化したユーザ側光ケーブルがＭＤＦ室から出る。ここでクロス配線とは、例えば映像側のＮ本の光ファイバ及びデータ側のＮ本の光ファイバを、映像側光ファイバ及びデータ側光ファイバが出力側で交互に並ぶ配列となるように交差配線することをいう。
【０００３】
従来、上記のように各伝送装置とユーザ側光ケーブルとをクロス配線により接続する場合、各伝送装置の各光ファイバとユーザ側光ケーブルの各光ファイバとの間を、交差させて配線した光コードで接続する方法（特許文献１の従来例（段落番号[０００５]、図６、図７））、あるいは、光ファイバシート内でクロス配線を行う方法がある（特許文献１の図１〜図４）。
【特許文献１】特開平２００５−１９５６１４
【発明の開示】
【発明が解決しようとする課題】
【０００４】
上記従来の光コードを直接交差させるクロス配線方法は、光成端箱内で光コードが極めて繁雑に錯綜することとなり、接続作業を行う際の作業性が著しく低く、また、広いコード配線スペースを必要とする等の欠点があった。
また、光ファイバシート内でクロス配線する方法は、接続作業の作業性が低いという問題はないが、クロス配線の光ファイバシートを追加で介在させることになるので、その分コストが高くなるという欠点があった。
【０００５】
本発明は上記従来の欠点を解消するためになされたもので、光コードの錯綜がなく、接続作業の作業性が良好であり、小型化が可能で、さらに光成端箱のコストを低減できる光配線システムを提供することを目的とする。
【課題を解決するための手段】
【０００６】
上記課題を解決する請求項１の発明は、第１の伝送装置に接続された装置側光ファイバをユーザ数に分岐する第１光スプリッタと第２の伝送装置に接続された装置側光ファイバをユーザ数に分岐する第２光スプリッタとを有しかつ前記第１光スプリッタの出力ファイバと前記第２光スプリッタの出力ファイバとが出力端で交互に並ぶように各光スプリッタの出力ファイバをクロス配線してなる光スプリッタモジュールを備え、
出力端で隣接する第１出力ファイバと第２出力ファイバとの１対を個別ユーザ用として用いることを特徴とする。
【０００７】
請求項２は、請求項１の光配線システムにおいて、光スプリッタモジュールは、出力端で隣接する第１出力ファイバと第２出力ファイバとの１対と個別ユーザ用光ファイバ心線とを融着接続する融着接続部を備えたことを特徴とする。
【０００８】
請求項３は、請求項１の光配線システムにおいて、光スプリッタモジュールは、第１及び第２光スプリッタの各出力ファイバの出力端に取り付けられた光コネクタ、及びコネクタ接続のためのアダプタを備えていることを特徴とする。
【０００９】
請求項４は、請求項１の光配線システムにおいて、光スプリッタモジュールは、第１及び第２の光スプリッタの各出力ファイバとしてコネクタ付きのピグテイルを備えたことを特徴とする。
【００１０】
請求項５の発明は、複数系統の伝送装置にそれぞれ接続された装置側光ファイバをそれぞれユーザ数に分岐する各系統毎の光スプリッタを有しかつ前記各光スプリッタの出力ファイバが出力端で、各系統の光ファイバを１本ずつ含む出力ファイバの組みが順に並ぶように各光スプリッタの出力ファイバをクロス配線してなる光スプリッタモジュールを備え、
前記出力ファイバの組みを個別ユーザ用として用いることを特徴とする。
【発明の効果】
【００１１】
本発明によれば、複数の伝送装置とユーザ側光ケーブルとの間のクロス配線が、光スプリッタの出力自体で実現されるので、クロス配線用光コードの錯綜という問題がなく、接続作業の作業性が良好であり、クロス配線に関わる部分の構成が著しく簡略化され、小型化も容易に実現され、さらに、光成端箱のコスト低減も可能となる。
【発明を実施するための最良の形態】
【００１２】
以下、本発明を実施した光配線システムについて、図面を参照して説明する。
【実施例１】
【００１３】
図１は、本発明の一実施例の光配線システムを備えた光成端箱２０の概略構成を説明する模式図である。同図において、１は映像用の伝送装置（第１の伝送装置）、２はデータ用の伝送装置（第２の伝送装置）、３は映像用伝送装置１に接続された装置側光コード（装置側光ファイバ）、４はデータ用伝送装置２に接続された装置側光コード（装置側光ファイバ）である。映像用伝送装置１、データ用伝送装置２、光成端箱２０は例えば大規模マンション棟のＭＤＦ室内などに設置される。
【００１４】
光成端箱２０は、内部に光スプリッタモジュール１５Ａ及び融着ユニット１７を備えている。光スプリッタモジュール１５Ａと融着ユニット１７とは、図示は省略するが共通の枠体上に設けられて、光成端ユニット２３Ａとしてユニット化されている。
【００１５】
前記光スプリッタモジュール１５Ａは、映像側の装置側光コード３をユーザ数Ｎに分岐する映像側光スプリッタ（第１光スプリッタ）１１とデータ側の装置側光コード４をユーザ数Ｎに分岐するデータ側光スプリッタ（第２光スプリッタ）１２とを有し、かつ前記映像側光スプリッタ１１の出力ファイバ１３とデータ側光スプリッタ１２の出力ファイバ１４とが出力端で交互に並ぶように、両出力ファイバ１３、１４をクロス配線（詳細後述）している。図１中のＡで示した部分は、両出力ファイバ１３、１４の配線がクロス配線であることを記号的に示したものである。
光スプリッタモジュール１５Ａは、映像側の装置側光コード３に取り付けられた光コネクタ５とスプリッタ１１の入力側に取り付けた光コネクタ９とをコネクタ接続するためのアダプタ７を備え、データ側の装置側光コード４に取り付けたコネクタ６とデータ側光スプリッタ１２の入力側に取り付けた光コネクタ１０とをコネクタ接続するためのアダプタ８を備えている。
【００１６】
この実施例の光成端ユニット２３Ａは前記の通り光スプリッタモジュール１５Ａと融着ユニット１７とからなるが、この実施例の光スプリッタモジュール１５Ａは、図２に示すように、融着接続形のスプリッタモジュールである。すなわち、映像側の光スプリッタ１１で分岐された複数本の映像側出力ファイバ１３の内の１本とデータ側光スプリッタ１２で分岐された複数本のデータ側出力ファイバ１４の内の１本とからなる１対の出力ファイバと個別ユーザ用光ファイバ心線１６とを融着接続する融着接続部２２を備えている。そして、個別ユーザ用光ファイバ心線１６とケーブル側光ファイバ心線１８とが融着ユニット１７において融着接続される。ケーブル側光ファイバ心線１８は個別ユーザに対応するもので、ユーザ側光ケーブル１９は複数本のケーブル側光ファイバ心線１８からなる。
【００１７】
前記融着接続形の光スプリッタモジュール１５Ａのさらに具体的実施例を図６、図７及び図８、図９に示す。
図６、図７に示した融着接続形スプリッタモジュール１５Ａ’は、図２における各装置側光コード３、４がいずれも４心光コードの場合であり、その４心に対応して設けられたそれぞれ４つの光スプリッタ１１、１２はいずれも１×４分岐の光スプリッタである。各映像側光スプリッタ１１のそれぞれ４本の出力ファイバ１３（合計１６本の出力ファイバ１３）、及び、各データ側光スプリッタ１２のそれぞれ４本の出力ファイバ１４（合計１６本の出力ファイバ１４）が図７のようにクロス配線されて、映像側出力ファイバ１３の１本とデータ側出力ファイバ１４の１本との１対が出力端で並ぶように（すなわち２心並列配置となるように）配列されている。そして、１対の出力ファイバ１３、１４の出力端と２心の個別ユーザ用光ファイバ心線１６とが融着接続（融着接続部２２）されている。
光スプリッタモジュール１５Ａ’の外観は図６（イ）の正面図及び（ロ）の左側面図に示す通りであり、ケース本体２６’の前面側に４連２列のアダプタ７、８を配置し、背面側に１６本の個別ユーザ用光ファイバテープ心線１６を引き出している。図６で符号２７は１６本の個別ユーザ用光ファイバテープ心線１６の全体を示す。
【００１８】
図８、図９に示した融着接続形スプリッタモジュール１５Ａ”は、図２における各装置側光コード３、４がいずれも８心光コードの場合であり、その８心に対応して設けられたそれぞれ８つの光スプリッタ１１、１２はいずれも１×２分岐の光スプリッタである。各映像側光スプリッタ１１のそれぞれ２本の出力ファイバ１３（合計１６本の出力ファイバ１３）、及び、各データ側光スプリッタ１２のそれぞれ２本の出力ファイバ１４（合計１６本の出力ファイバ１４）が図９のようにクロス配線されて、映像側出力ファイバ１３の１本とデータ側出力ファイバ１４の１本との１対が出力端で並ぶように（すなわち２心並列配置となるように）配列されている。そして、１対の出力ファイバ１３、１４の出力端と２心の個別ユーザ用光ファイバ心線１６とが融着接続（融着接続部２２）されている。
光スプリッタモジュール１５Ａ”の外観は図８（イ）の正面図及び（ロ）の左側面図に示す通りであり、ケース本体２６”の前面側に８連２列のアダプタ７、８を配置し、背面側に１６本の個別ユーザ用光ファイバテープ心線１６を引き出している。図８で符号２７は１６本の個別ユーザ用光ファイバテープ心線１６の全体を示す。
【００１９】
なお、図６〜図９の例において、個別ユーザ用光ファイバ心線１６が２心光ファイバテープ心線であるとして示したので、個別ユーザ用光ファイバ心線１６の本数が１６本（２心×１６本）となるが、例えば４心光ファイバテープ心線を８本（４心×８本）としてもよい。個別ユーザ用光ファイバとしては２心セットが必要なので、この場合の４心光ファイバテープ心線は、１ユーザ用の２心を２セットとするか、あるいは１セット分を予備とする。
【００２０】
そして、光スプリッタモジュール１５Ａ（１５Ａ’、１５Ａ”）から引き出された上記の１６本の個別ユーザ用光ファイバテープ心線１６は融着ユニット１７においてケーブル側光ファイバ心線１８と融着接続される。このケーブル側光ファイバ心線１８は、光スプリッタモジュール１５Ａ側の個別ユーザ用光ファイバ心線１６と同じ心数の光ファイバテープ心線とする。
【００２１】
上記の光配線システムによれば、各伝送装置１、２とユーザ側光ケーブル１９との間のクロス配線が、光スプリッタモジュール１５Ａにおいて光スプリッタ１１、１２の出力自体で実現される。したがって、従来の光コードによるクロス配線方法のようなクロス配線用光コードの錯綜という問題が無く、接続作業の作業性が良好である。また、クロス配線にかかわる部分の構成が著しく簡略化され、小型化も容易に実現される。さらに光成端箱のコスト低減も可能になる。
【実施例２】
【００２２】
図３に光成端ユニットの他の実施例を示す。この実施例の光成端ユニット２３Ｂは光スプリッタモジュール１５Ｂとケーブル側成端ユニット２１とからなる。光スプリッタモジュール１５Ｂはコネクタ付きピグテイル出力形の光スプリッタモジュールである。すなわち各光スプリッタ１１、１２は出力端に光コネクタ３１を取付けたピグテイル形の出力ファイバ１３’、１４’を備えている。
ケーブル側成端ユニット２１は、コネクタ接続のためのアダプタ３４を備え、このアダプタ３４に嵌合される光コネクタ３５を取り付けた接続用光ファイバ３６を備え、さらに融着接続部３７を備えている。
光スプリッタモジュール１５Ｂのクロス配線されたピグテイル型出力ファイバ１３’、１４’の出力端は、ケーブル側成端ユニット２１側の接続用光ファイバ３６とアダプタ３４にてコネクタ接続され、その接続用光ファイバ３６とケーブル側光ファイバ心線１８とが融着接続部３７において融着接続される。
【００２３】
この実施例においては、光スプリッタモジュール１５Ｂのピグテイル形出力ファイバ１３’、１４’の光コネクタ３１を、ケーブル側成端ユニット２１のアダプタ３４に対して着脱することにより、接続切替を容易に行うことができる。
【実施例３】
【００２４】
図４に光成端ユニットのさらに他の実施例を示す。この実施例の光成端ユニット２３Ｃにおける光スプリッタモジュール１５Ｃはジャンパコード接続形の光スプリッタモジュールである。すなわち各光スプリッタ１１、１２の出力ファイバ１３、１４の出力端に光コネクタ４１がそれぞれ取り付けられ、この光コネクタ４１の配列は、映像側出力ファイバ１３とデータ側出力ファイバ１４とが交互に並ぶ配置となっている。また、アダプタ４２を備えている。ケーブル側成端ユニット２１は、図３のものと同じである。
そして、両端に光コネクタ４４、４５を取り付けた２心のジャンパコード４３の一端側の光コネクタ４４が、光スプリッタモジュール１５Ｃの出力ファイバ１３、１４の光コネクタ４１と前記アダプタ４２にてコネクタ接続され、他端側の光コネクタ４５がケーブル側成端ユニット２１の光コネクタ３５とアダプタ３４にて接続される。そして、ケーブル側成端ユニット２１の接続用光ファイバ３６とケーブル側光ファイバ心線１８とが融着接続部３７において融着接続される。
【００２５】
この実施例の光スプリッタモジュール１５Ｃでは、ジャンパコード４３の一端側の光コネクタ４４を光スプリッタモジュール１５Ｃ側のアダプタ４２に対して着脱するか、または、他端側の光コネクタ４５をケーブル側成端ユニット２１のアダプタ３４に対して着脱をすることで、接続切替を容易に行うことができる。
【実施例４】
【００２６】
図５に光成端ユニットのさらに他の実施例を示す。この実施例の光成端ユニット２３Ｄにおける光スプリッタモジュール１５Ｃは図４のものと同じであるが、この実施例ではＦＯコード５１を用いてユーザ側光ケーブル１９との接続を行う。すなわち、ＦＯコード５１のファイバ端とケーブル側光ファイバ心線１８とを融着ユニット１７において融着接続し、ＦＯコード５１の分岐したコネクタ端（光コネクタを５２で示す）を光スプリッタモジュール１５Ｃの光コネクタ４１とコネクタ接続する。
【実施例５】
【００２７】
上述の実施例では、映像用伝送装置１とデータ用伝送装置２との２系統の伝送装置の場合について説明したが、さらに、別回線用伝送装置、あるいは予備の伝送装置に対応可能な構成、すなわち３系統以上に対応可能な構成とすることもできる。この場合、系統数に対して光スプリッタの系統を対応させる。また、すべての系統について本発明を適用する必要はなく、一部の系統については、従来の光配線システムを適用してもよい。
また、上述の説明では、大規模マンション棟のＭＤＦ室内等に設置する場合として説明したが、伝送局舎内の設備として設置する場合、その他種々の場合がある。
また、光スプリッタの構造については特に限定されず、光ファイバ型、あるいは光導波路型、あるいはバルク型のいずれでもよい。
【００２８】
なお、図１において各伝送装置１、２は各1台を図示したが、必要に応じてそれぞれ複数台設置される。
また、図６〜図９の実施例で説明した通り、各伝送装置１、２に接続される装置側光コード３、４は一般に多心光コードであり、また、光スプリッタ１１、１２はそれぞれ、多心光コードの心数に対応する数だけ設ける。
また、上述の各実施例では、１つの光成端ユニット２３に１つの光スプリッタモジュール１５及び１つの融着ユニット１７又はケーブル側成端ユニット２１を設けるように示したが、必要に応じて、１つの光成端ユニット２３に複数の光スプリッタモジュール１５及び複数の融着ユニット１７又はケーブル側成端ユニット２１を設けた構成とすることができる。
また、個別ユーザ用光ファイバ心線１６は２心がセットとなるが、必ずしも２心テープ心線である必要はなく、２心のセットである４心テープ心線としてもよい。
【図面の簡単な説明】
【００２９】
【図１】本発明の一実施例の光配線システムを備えた光成端箱の概略構成を説明する模式図である。
【図２】図１の光成端箱における光成端ユニットの詳細を説明する模式図である。
【図３】図１の光成端箱における光成端ユニットの他の実施例を説明する模式図である。
【図４】図１の光成端箱における光成端ユニットのさらに他の実施例を説明する模式図である。
【図５】図１の光成端箱における光成端ユニットのさらに他の実施例を説明する模式図である。
【図６】図２における光スプリッタモジュールの具体的実施例の外観を示すもので、（イ）は正面図、（ロ）は左側面図である。
【図７】図６の光スプリッタモジュール内の配線図である。
【図８】図２における光スプリッタモジュールの他の具体的実施例の外観を示すもので、（イ）は正面図、（ロ）は左側面図である。
【図９】図８の光スプリッタモジュール内の配線図である。
【符号の説明】
【００３０】
１  映像用伝送装置（第１の伝送装置）
２  データ用伝送装置（第２の伝送装置）
３、４  装置側光コード（装置側光ファイバ）
５、６  光コネクタ
７、８  アダプタ
９、１０  光コネクタ
１１  映像側の光スプリッタ（第１光スプリッタ）
１２  データ側の光スプリッタ（第２光スプリッタ）
１３  映像側の出力ファイバ（第１出力ファイバ）
１３’  映像側のコネクタ付きピグテイル形出力ファイバ（第１出力ファイバ）
１４  データ側の出力ファイバ（第２出力ファイバ）
１４’  データ側のコネクタ付きピグテイル形出力ファイバ（第２出力ファイバ）
１５Ａ、１５Ｂ、１５Ｃ  光スプリッタモジュール
１６  個別ユーザ用光ファイバテープ心線（個別ユーザ用光ファイバ心線）
１７  融着ユニット
１８  ケーブル側光ファイバ心線
１９  ユーザ側光ケーブル
２０  光成端箱
２１  ケーブル側成端ユニット
２２  融着接続部
２３Ａ、２３Ｂ、２３Ｃ、２３Ｄ  光成端ユニット
３１  光コネクタ
３４  アダプタ
３５  光コネクタ
３６  接続用光ファイバ
３７  融着接続部
４１  光コネクタ
４２  アダプタ
４３  ジャンパコード
４４、４５  光コネクタ
５１  ＦＯコード
５２  光コネクタ
Ａ    クロス配線であることを示す記号部分
【図１】
2007041285.tif 000003
【図２】
2007041285.tif 000004
【図３】
2007041285.tif 000005
【図４】
2007041285.tif 000006
【図５】
2007041285.tif 000007
【図６】
2007041285.tif 000008
【図７】
2007041285.tif 000009
【図８】
2007041285.tif 000010
【図９】
2007041285.tif 000011